(57)【特許請求の範囲】
【請求項１】
１つまたは複数の文書ファイルを記憶する記憶手段と、
前記記憶手段に記憶された文書ファイルの中から、ユーザの指示に基づいて文書ファイルを選択する選択手段と、
文書ファイルを出力可能な出力手段と、
前記選択手段により選択された文書ファイルについて、文書ファイルを選択したユーザによる該文書ファイルへのアクセス履歴がある場合は、選択された文書ファイルを文書ファイルの一部のみを出力する簡易モードで出力し、アクセス履歴がない場合は選択された文書ファイルを文書ファイルの全部を出力する詳細モードで出力するものと判断する判断手段と、
前記判断手段による判断結果に従って、選択された文書ファイルを簡易モードまたは詳細モードで出力するように、前記出力手段を制御する制御手段と、
を備えたことを特徴とするデータ処理装置。
【請求項２】
１つまたは複数の文書ファイルを記憶する記憶手段と、
前記記憶手段に記憶された文書ファイルの中から、ユーザの指示に基づいて文書ファイルを選択する選択手段と、
文書ファイルを出力可能な出力手段と、
前記選択手段により選択された文書ファイルについて、文書ファイルを選択したユーザと選択された文書ファイルの作成者とが一致している場合は、選択された文書ファイルを文書ファイルの一部のみを出力する簡易モードで出力し、異なっている場合は選択された文書ファイルを文書ファイルの全部を出力する詳細モードで出力するものと判断する判断手段と、
前記判断手段による判断結果に従って、選択された文書ファイルを簡易モードまたは詳細モードで出力するように、前記出力手段を制御する制御手段と、
を備えたことを特徴とするデータ処理装置。
【請求項３】
１つまたは複数の文書ファイルを記憶する記憶手段と、
前記記憶手段に記憶された文書ファイルの中から、ユーザの指示に基づいて文書ファイルを選択する選択手段と、
文書ファイルを出力可能な出力手段と、
前記選択手段により選択された文書ファイルについて、選択された文書ファイルが前記記憶手段の前記ユーザ自身の個人用記憶領域に記憶されている場合は、選択された文書ファイルを文書ファイルの一部のみを出力する簡易モードで出力し、ユーザ自身の個人用記憶領域以外の記憶領域に記憶されている場合は、選択された文書ファイルを文書ファイルの全部を出力する詳細モードで出力するものと判断する判断手段と、
前記判断手段による判断結果に従って、選択された文書ファイルを簡易モードまたは詳細モードで出力するように、前記出力手段を制御する制御手段と、
を備えたことを特徴とするデータ処理装置。
【請求項４】
簡易モードの場合、文書ファイルに含まれる文書のタイトル及び図形のうちの少なくとも一方が出力される請求項１〜３のいずれかに記載のデータ処理装置。
【請求項５】
前記出力手段は文書ファイルを表示可能な表示手段である請求項１〜４のいずれかに記載の文書データ処理装置。
【請求項６】
記憶手段に記憶された１つまたは複数の文書ファイルの中から、ユーザの指示に基づいて文書ファイルを選択する選択ステップと、
前記選択ステップにおいて選択された文書ファイルについて、文書ファイルを選択したユーザによる該文書ファイルへのアクセス履歴がある場合は、選択された文書ファイルを文書ファイルの一部のみを出力する簡易モードで出力し、アクセス履歴がない場合は選択された文書ファイルを文書ファイルの全部を出力する詳細モードで出力するものと判断する判断ステップと、
前記判断ステップにおける判断結果に従って、選択された文書ファイルを簡易モードまたは詳細モードで出力手段により出力する出力ステップと、
を備えたことを特徴とするデータ処理方法。
【請求項７】
記憶手段に記憶された１つまたは複数の文書ファイルの中から、ユーザの指示に基づいて文書ファイルを選択する選択ステップと、
前記選択ステップにおいて選択された文書ファイルについて、文書ファイルを選択したユーザと選択された文書ファイルの作成者とが一致している場合は、選択された文書ファイルを文書ファイルの一部のみを出力する簡易モードで出力し、異なっている場合は選択された文書ファイルを文書ファイルの全部を出力する詳細モードで出力するものと判断する判断ステップと、
前記判断手段における判断結果に従って、選択された文書ファイルを簡易モードまたは詳細モードで出力手段により出力する出力ステップと、
を備えたことを特徴とするデータ処理方法。
【請求項８】
記憶手段に記憶された１つまたは複数の文書ファイルの中から、ユーザの指示に基づいて文書ファイルを選択する選択ステップと、
前記選択ステップにおいて選択された文書ファイルについて、選択された文書ファイルが前記記憶手段の前記ユーザ自身の個人用記憶領域に記憶されている場合は、選択された文書ファイルを文書ファイルの一部のみを出力する簡易モードで出力し、ユーザ自身の個人用記憶領域以外の記憶領域に記憶されている場合は、選択された文書ファイルを文書ファイルの全部を出力する詳細モードで出力するものと判断する判断手段と、
前記判断手段による判断結果に従って、選択された文書ファイルを簡易モードまたは詳細モードで出力手段により出力するステップと、
を備えたことを特徴とするデータ処理方法。
【請求項９】
記憶手段に記憶された１つまたは複数の文書ファイルの中から、ユーザの指示に基づいて文書ファイルを選択する選択ステップと、
前記選択ステップにおいて選択された文書ファイルについて、文書ファイルを選択したユーザによる該文書ファイルへのアクセス履歴がある場合は、選択された文書ファイルを文書ファイルの一部のみを出力する簡易モードで出力し、アクセス履歴がない場合は選択された文書ファイルを文書ファイルの全部を出力する詳細モードで出力するものと判断する判断ステップと、
前記判断ステップにおける判断結果に従って、選択された文書ファイルを簡易モードまたは詳細モードで出力手段に出力させる出力ステップと、
をコンピュータに実行させるためのデータ処理プログラム。
【請求項１０】
記憶手段に記憶された１つまたは複数の文書ファイルの中から、ユーザの指示に基づいて文書ファイルを選択する選択ステップと、
前記選択ステップにおいて選択された文書ファイルについて、文書ファイルを選択したユーザと選択された文書ファイルの作成者とが一致している場合は、選択された文書ファイルを文書ファイルの一部のみを出力する簡易モードで出力し、異なっている場合は選択された文書ファイルを文書ファイルの全部を出力する詳細モードで出力するものと判断する判断ステップと、
前記判断手段における判断結果に従って、選択された文書ファイルを簡易モードまたは詳細モードで出力手段に出力させる出力ステップと、
をコンピュータに実行させるためのデータ処理プログラム。
【請求項１１】
記憶手段に記憶された１つまたは複数の文書ファイルの中から、ユーザの指示に基づいて文書ファイルを選択する選択ステップと、
前記選択ステップにおいて選択された文書ファイルについて、選択された文書ファイルが前記記憶手段の前記ユーザ自身の個人用記憶領域に記憶されている場合は、選択された文書ファイルを文書ファイルの一部のみを出力する簡易モードで出力し、ユーザ自身の個人用記憶領域以外の記憶領域に記憶されている場合は、選択された文書ファイルを文書ファイルの全部を出力する詳細モードで出力するものと判断する判断手段と、
前記判断手段による判断結果に従って、選択された文書ファイルを簡易モードまたは詳細モードで出力手段に出力させるステップと、
をコンピュータに実行させるためのデータ処理プログラム。
【発明の詳細な説明】
【技術分野】
【０００１】
この発明は、画像形成装置等のデータ処理装置及び同処理方法、並びにデータ処理方法をコンピュータに実行させるためのデータ処理プログラムに関する。
【背景技術】
【０００２】
画像形成装置等のデータ処理装置として、記憶部に記憶されている文書ファイルの内容を容易に把握できるようにするために、選択した文書ファイルを開かなくても、文書ファイルを選択しただけで、文書ファイルの内容のコメントが表示される、いわゆるアシスト機能を有する装置が知られている（例えば特許文献１〜４参照）。
【０００３】
具体的には、選択された文書ファイルの簡単なコメントや文書ファイルの先頭部分を表示する装置、予め決められた方法により、選択された文書ファイルの内容の一部を簡単に表示する装置が知られている。また、視覚にハンディキャップを有するユーザが文書ファイルを把握できるように、選択された文書ファイルのテキスト部分を最初から読み上げる装置も知られている。
【特許文献１】特開２００６−２１５６８１号公報
【特許文献２】特開平９−２６１４２８号公報
【特許文献３】特開平８−３４０４３１号公報
【特許文献４】特開２００６−１６３２８８号公報
【発明の開示】
【発明が解決しようとする課題】
【０００４】
しかし、従来のデータ処理装置のアシスト機能は、何れも、選択された文書ファイルの内容を簡単に表示するものであるため、文書ファイルの内容を知っているユーザにとっては便利であるものの、内容を知らないユーザにとってはアシスト機能による簡易表示では内容を把握することができなかった。
【０００５】
このため、文書ファイルの詳細な内容を知りたいユーザはアシスト機能の設定を解除する等の操作が必要となり、煩わしかった。
【０００６】
また、ユーザが自己の個人用記憶領域に記憶されている文書ファイルの中から所望の文書ファイルを探すのに、文書ファイルを１個ずつ選択してアシスト機能によりその一部を表示させるのは、面倒であった。
【０００７】
この発明は、このような実情に鑑みてなされたものであって、記憶手段に記憶されている文書ファイルをアシスト機能により出力する際に、ユーザ等に応じてデータの出力形式を変更することができるデータ処理装置及び同処理方法を提供し、さらには前記処理方法をコンピュータに実行させるためのデータ処理プログラムの提供を課題とする。
【０００８】
この発明の他の目的は、ユーザがアシスト機能を使用して記憶領域に記憶されている文書ファイルの中から所望の文書ファイルを探す際に、文書ファイルを１個ずつ選択する必要のないデータ処理装置及び同処理方法を提供し、さらには前記処理方法をコンピュータに実行させるためのデータ処理プログラムの提供を課題とする。
【課題を解決するための手段】
【０００９】
上記課題は、以下の手段によって解決される。
（１）１つまたは複数の文書ファイルを記憶する記憶手段と、前記記憶手段に記憶された文書ファイルの中から、ユーザの指示に基づいて文書ファイルを選択する選択手段と、文書ファイルを出力可能な出力手段と、前記選択手段により選択された文書ファイルについて、文書ファイルを選択したユーザによる該文書ファイルへのアクセス履歴がある場合は、選択された文書ファイルを文書ファイルの一部のみを出力する簡易モードで出力し、アクセス履歴がない場合は選択された文書ファイルを文書ファイルの全部を出力する詳細モードで出力するものと判断する判断手段と、前記判断手段による判断結果に従って、選択された文書ファイルを簡易モードまたは詳細モードで出力するように、前記出力手段を制御する制御手段と、を備えたことを特徴とするデータ処理装置。
（２）１つまたは複数の文書ファイルを記憶する記憶手段と、前記記憶手段に記憶された文書ファイルの中から、ユーザの指示に基づいて文書ファイルを選択する選択手段と、文書ファイルを出力可能な出力手段と、前記選択手段により選択された文書ファイルについて、文書ファイルを選択したユーザと選択された文書ファイルの作成者とが一致している場合は、選択された文書ファイルを文書ファイルの一部のみを出力する簡易モードで出力し、異なっている場合は選択された文書ファイルを文書ファイルの全部を出力する詳細モードで出力するものと判断する判断手段と、前記判断手段による判断結果に従って、選択された文書ファイルを簡易モードまたは詳細モードで出力するように、前記出力手段を制御する制御手段と、を備えたことを特徴とするデータ処理装置。
（３）１つまたは複数の文書ファイルを記憶する記憶手段と、前記記憶手段に記憶された文書ファイルの中から、ユーザの指示に基づいて文書ファイルを選択する選択手段と、文書ファイルを出力可能な出力手段と、前記選択手段により選択された文書ファイルについて、選択された文書ファイルが前記記憶手段の前記ユーザ自身の個人用記憶領域に記憶されている場合は、選択された文書ファイルを文書ファイルの一部のみを出力する簡易モードで出力し、ユーザ自身の個人用記憶領域以外の記憶領域に記憶されている場合は、選択された文書ファイルを文書ファイルの全部を出力する詳細モードで出力するものと判断する判断手段と、前記判断手段による判断結果に従って、選択された文書ファイルを簡易モードまたは詳細モードで出力するように、前記出力手段を制御する制御手段と、を備えたことを特徴とするデータ処理装置。
（４）簡易モードの場合、文書ファイルに含まれる文書のタイトル及び図形のうちの少なくとも一方が出力される前項１〜３のいずれかに記載のデータ処理装置。
（５）前記出力手段は文書ファイルを表示可能な表示手段である前項１〜４のいずれかに記載の文書データ処理装置。
（６）記憶手段に記憶された１つまたは複数の文書ファイルの中から、ユーザの指示に基づいて文書ファイルを選択する選択ステップと、前記選択ステップにおいて選択された文書ファイルについて、文書ファイルを選択したユーザによる該文書ファイルへのアクセス履歴がある場合は、選択された文書ファイルを文書ファイルの一部のみを出力する簡易モードで出力し、アクセス履歴がない場合は選択された文書ファイルを文書ファイルの全部を出力する詳細モードで出力するものと判断する判断ステップと、前記判断ステップにおける判断結果に従って、選択された文書ファイルを簡易モードまたは詳細モードで出力手段により出力する出力ステップと、を備えたことを特徴とするデータ処理方法。
（７）記憶手段に記憶された１つまたは複数の文書ファイルの中から、ユーザの指示に基づいて文書ファイルを選択する選択ステップと、前記選択ステップにおいて選択された文書ファイルについて、文書ファイルを選択したユーザと選択された文書ファイルの作成者とが一致している場合は、選択された文書ファイルを文書ファイルの一部のみを出力する簡易モードで出力し、異なっている場合は選択された文書ファイルを文書ファイルの全部を出力する詳細モードで出力するものと判断する判断ステップと、前記判断手段における判断結果に従って、選択された文書ファイルを簡易モードまたは詳細モードで出力手段により出力する出力ステップと、を備えたことを特徴とするデータ処理方法。
（８）記憶手段に記憶された１つまたは複数の文書ファイルの中から、ユーザの指示に基づいて文書ファイルを選択する選択ステップと、前記選択ステップにおいて選択された文書ファイルについて、選択された文書ファイルが前記記憶手段の前記ユーザ自身の個人用記憶領域に記憶されている場合は、選択された文書ファイルを文書ファイルの一部のみを出力する簡易モードで出力し、ユーザ自身の個人用記憶領域以外の記憶領域に記憶されている場合は、選択された文書ファイルを文書ファイルの全部を出力する詳細モードで出力するものと判断する判断手段と、前記判断手段による判断結果に従って、選択された文書ファイルを簡易モードまたは詳細モードで出力手段により出力するステップと、を備えたことを特徴とするデータ処理方法。
（９）記憶手段に記憶された１つまたは複数の文書ファイルの中から、ユーザの指示に基づいて文書ファイルを選択する選択ステップと、前記選択ステップにおいて選択された文書ファイルについて、文書ファイルを選択したユーザによる該文書ファイルへのアクセス履歴がある場合は、選択された文書ファイルを文書ファイルの一部のみを出力する簡易モードで出力し、アクセス履歴がない場合は選択された文書ファイルを文書ファイルの全部を出力する詳細モードで出力するものと判断する判断ステップと、前記判断ステップにおける判断結果に従って、選択された文書ファイルを簡易モードまたは詳細モードで出力手段に出力させる出力ステップと、をコンピュータに実行させるためのデータ処理プログラム。
（１０）記憶手段に記憶された１つまたは複数の文書ファイルの中から、ユーザの指示に基づいて文書ファイルを選択する選択ステップと、前記選択ステップにおいて選択された文書ファイルについて、文書ファイルを選択したユーザと選択された文書ファイルの作成者とが一致している場合は、選択された文書ファイルを文書ファイルの一部のみを出力する簡易モードで出力し、異なっている場合は選択された文書ファイルを文書ファイルの全部を出力する詳細モードで出力するものと判断する判断ステップと、前記判断手段における判断結果に従って、選択された文書ファイルを簡易モードまたは詳細モードで出力手段に出力させる出力ステップと、をコンピュータに実行させるためのデータ処理プログラム。
（１１）記憶手段に記憶された１つまたは複数の文書ファイルの中から、ユーザの指示に基づいて文書ファイルを選択する選択ステップと、前記選択ステップにおいて選択された文書ファイルについて、選択された文書ファイルが前記記憶手段の前記ユーザ自身の個人用記憶領域に記憶されている場合は、選択された文書ファイルを文書ファイルの一部のみを出力する簡易モードで出力し、ユーザ自身の個人用記憶領域以外の記憶領域に記憶されている場合は、選択された文書ファイルを文書ファイルの全部を出力する詳細モードで出力するものと判断する判断手段と、前記判断手段による判断結果に従って、選択された文書ファイルを簡易モードまたは詳細モードで出力手段に出力させるステップと、をコンピュータに実行させるためのデータ処理プログラム。
【発明の効果】
【００１３】
前項（１）に記載の発明によれば、文書ファイルを選択したユーザによる該文書ファイルへのアクセス履歴がある場合は、ユーザは既に前記文書ファイルの内容を知っていると考えられることから、文書ファイルは簡易モードで文書ファイルの一部のみが出力される。アクセス履歴がない場合は、ユーザは前記文書ファイルの内容を知らないと考えられることから、詳細モードで文書ファイルの全部が出力される。このように、文書ファイルの出力形式を変更することができ、極めて便利である。
【００１４】
前項（２）に記載の発明によれば、文書ファイルを選択したユーザと選択された文書ファイルの作成者とが一致している場合には、ユーザは既に前記文書ファイルの内容を知っていると考えられることから、文書ファイルは簡易モードで出力される。異なっている場合は、ユーザは前記文書ファイルの内容を知らないと考えられることから、詳細モードで出力される。
【００１５】
前項（３）に記載の発明によれば、選択された文書ファイルが記憶手段のユーザ自身の個人用記憶領域に記憶されている場合は、ユーザは既に前記文書ファイルの内容を知っていると考えられることから、選択された文書ファイルは簡易モードで出力される。ユーザ自身の個人用記憶領域以外の記憶領域に記憶されている場合は、ユーザは前記文書ファイルの内容を知らないと考えられることから、詳細モードで出力される。
【００１７】
前項（４）に記載の発明によれば、簡易モードの場合、文書ファイルに含まれるタイトル及び図形のうちの少なくとも一方が出力されるから、文書ファイルの内容を容易にかつ的確に把握することができる。
【００１８】
前項（５）に記載の発明によれば、文書ファイルを簡易モードまたは詳細モードで表示手段に表示することができる。
【００２３】
前項（６）に記載の発明によれば、文書ファイルを選択したユーザによる該文書ファイルへのアクセス履歴がある場合は、文書ファイルは簡易モードで出力され、アクセス履歴がない場合は、詳細モードで出力されるから、極めて便利である。
【００２６】
前項（９）に記載の発明によれば、文書ファイルを選択したユーザによる該文書ファイルへのアクセス履歴がある場合は、文書ファイルを簡易モードで出力し、アクセス履歴がない場合は、詳細モードで出力する処理を、コンピュータに実行させることができる。
【発明を実施するための最良の形態】
【００２９】
次にこの発明の一実施形態を説明する。
【００３０】
図１は、この発明の一実施形態に係るデータ処理装置が用いられたネットワークシステムの概略構成図である。
【００３１】
このネットワークシステムは、この発明の一実施形態に係るデータ処理装置としての画像形成装置１と、パーソナルコンピュータからなるユーザ端末２と、他の画像形成装置３と、携帯電話４などを備え、これらのユーザ端末２、画像形成装置３及び携帯電話４は、ネットワーク５を介して画像形成装置１とそれぞれ接続されている。
【００３２】
前記画像形成装置１は、この実施形態では、コピー機能、プリンタ機能、ファクシミリ機能等を備えた多機能デジタル複合機であるＭＦＰ（Multi Function Peripherals）が用いられている。なお、画像形成装置３にもＭＦＰが用いられている。
【００３３】
図２は、前記画像形成装置１の概略構成を示すブロック図である。
【００３４】
画像形成装置１は、ＣＰＵ１１と、ＲＯＭ１２と、ＲＡＭ１３と、スキャナ部１４と、記憶部１５と、プリンタ部１６と、操作パネル１７と、ネットワークコントローラ（Ｎ１Ｃ）１８等を備えている。
【００３５】
前記ＣＰＵ１１は、画像形成装置１の全体を統括制御するものであり、コピー機能、プリンタ機能、ファクシミリ機能を実行するための通常の制御の他、この実施形態では特に次のような制御を行う。
【００３６】
即ち、記憶部１５にデータとして記憶された文書ファイル（以下、文書ファイルを単に文書ともいう）の中から、ユーザの指示に基づいて文書を選択したり、選択された文書を簡易モードで出力するか詳細モードで出力するかを、予め設定された出力条件に基づいて判断したり、判断結果に従って、選択された文書を簡易モードまたは詳細モードで出力するように、前記プリンタ部１６を制御する。
【００３７】
また、ＣＰＵ１１は、ユーザ端末２、画像形成装置３、携帯電話４等の外部装置からアクセスしたユーザの指示に基づいて文書を選択した場合には、選択された文書を簡易モードで前記外部装置に送信するか詳細モードで送信するかを、外部装置の種類に基づいて判断し、判断結果に従って、選択された文書を前記ネットワークコントローラ１８を介して簡易モードまたは詳細モードで前記外部装置へ送信する。
【００３８】
また、記憶部１５に複数の記憶領域（以下、記憶領域をボックスともいう）が形成され、各ボックスに文書が記憶されている場合、ユーザがボックスを選択すると、選択されたボックスに記憶されている全ての文書のそれぞれ一部のみが、予め設定された条件に従って一覧的に出力されるように、前記プリンタ部１６を制御する。
【００３９】
前記ＲＯＭ１２は、ＣＰＵ１１の動作プログラム等を格納するメモリである。また、前記ＲＡＭ１３は、ＣＰＵ１１が動作プログラムを実行する際の作業領域を提供するメモリである。
【００４０】
前記スキャナ部１４は、原稿台（図示せず）に置かれた原稿の画像を読み取り、画像データに変換する。
【００４１】
前記記憶部１５は、例えばハードディスク装置（ＨＤＤ）等からなるとともに、スキャナ部１４で読み取られた画像データ、外部装置から送信されてきた画像データ、画像形成装置の操作履歴（ログ情報）等の各種データが記憶されている。また、記憶部１５は１個または複数個の前述したボックスを有し、各ボックスには、１個または複数個の文書が保存されている。なお、前記ボックスとしては、各ユーザ個人に割り当てられユーザ本人のみがアクセスできる個人ボックスと、誰もが自由にアクセスできるパブリックボックス等がある。
【００４２】
前記プリンタ部１６は、前記スキャナ部１４で読み取られた原稿の画像データやユーザ端末２からのプリントデータ、さらには前記ボックスに保存されている文書等を、指定された出力条件に従って印刷するものである。
【００４３】
前記操作パネル１７は、各種入力操作のため、あるいは画面やメッセージ等の表示のために使用されるものであり、テンキーやスタートキー等のキー入力部と、液晶等からなる表示部を備えている。
【００４４】
前記ネットワークコントローラ１８は、ネットワークを介して接続されたユーザ端末２、画像形成装置３、携帯電話４等の外部装置との間での通信を制御するものである。
【００４５】
次に、図２に示した画像形成装置１において、ログインしたユーザが記憶部のボックス内に記憶されている複数の文書の中から、いずれかの文書を選択した場合に、画像形成装置１が行う動作を、図３のフローチャートに基づいて説明する。この動作は、ＣＰＵ１１がＲＯＭ１２等の記録媒体に記録されたプログラムに従って動作することにより実行される。
【００４６】
ユーザが画像処理装置１にログインのための操作を行うと、ステップＳ０１で、認証等のログイン処理が行われる。
【００４７】
ログインしたユーザが、記憶部１５のボックスに保存されているいずれかの文書を選択すると、この選択指示が受け付けられ、ステップＳ０２でＣＰＵ１１は対応する文書を選択する。なお、この実施形態では、ボックスに保存されている文書がＰＤＦ文書である場合を説明するが、文書の種類は限定されることはなく、ワード文書やその他のフォーマットの文書であっても良い。
【００４８】
次にステップＳ０３で、表示形式判断処理が行われる。この表示形式判断処理は、選択された文書を簡易モードで操作パネル１７に表示するか詳細モードで表示するかを、予め設定された出力条件に基づいて判断する処理である。この実施形態では、出力条件が、前記文書を選択するユーザと文書の属性との関係に関するものである場合を示す。また、簡易モードでは文書の一部のみが表示され、詳細モードでは文書の全部が表示される設定となされている。なお、表示形式判断処理の詳細については後述する。
【００４９】
次に、ステップＳ０４では、ステップＳ０３の表示形式判断処理による判断の結果、選択された文書の一部を表示するか（簡易モード）、全部を表示するか（詳細モード）を調べる。
【００５０】
一部のみを表示する場合（ステップＳ０４でＹＥＳ）、ステップＳ０５で、文書の一部のみを操作パネル１７に表示する。この実施形態ではＰＤＦ文書の「しおり」部（タイトル）のみを表示するものとなされているが、図形部分であっても良く、タイトルと図形の両方を表示しても良い。
【００５１】
一方、文書の全部を表示する場合（ステップＳ０４でＮＯ）、ステップＳ０６で、文書の全部を表示する。文書の全部を操作パネル１７に表示しきれない場合は、表示可能な範囲で文書の先頭部分から表示する。
【００５２】
図４は、図３のステップＳ０３の表示形式判断処理のサブルーチンを示すフローチャートである。この例では、ログインしたユーザが、選択した文書にアクセスした履歴があるか否かにより、文書の一部のみを表示するか全部を表示するかの判断を行うものとなされている。
【００５３】
ステップＳ０３０１で、ＣＰＵ１１は、選択された文書に対する操作履歴（ログ情報）を確認したのち、ステップＳ０３０２で、ログインしているユーザによるその文書へのアクセス履歴が存在するか否かを判断する。
【００５４】
アクセス履歴があれば（ステップＳ０３０２でＹＥＳ）、ユーザは既に前記文書の内容を知っていると考えられることから、ステップＳ０３０３で、「一部表示」と判断される。アクセス履歴がなければ（ステップＳ０３０２でＮＯ）、ユーザは前記文書の内容を知らないと考えられることから、ステップＳ０３０４で、「全部表示」と判断される。
【００５５】
このように、この実施形態では、ログインしたユーザの指示に基づいて選択された文書の一部のみを表示するか全部を表示するかが、ユーザの文書へのアクセス履歴の有無に基づいて判断され、判断結果に従って、選択された文書の一部のみあるいは全部が表示される。つまり、選択された文書の一部のみを簡易モードで出力するというアシスト機能を使用しながら、例えば文書の詳細な内容を知りたい場合等には詳細モードで出力することができるから、ユーザ等に応じて文書の出力形式を変更することができ、極めて便利である。
【００５６】
図５は、表示形式判断処理（図３のステップＳ０３）の他の例を示すフローチャートである。この例では、ログインしたユーザ（文書を選択したユーザ）と、選択された文書の作成者（その文書のボックスへの送信者）が同一か否かに応じて、表示形式を判断するものである。
【００５７】
ステップＳ０３１１で、選択された文書の作成者を確認したのち、ステップＳ０３１２で、ログインしたユーザと文書作成者が一致しているかどうかを調べる。
【００５８】
ログインしたユーザと文書作成者が一致していれば（ステップＳ０３１２でＹＥＳ）、ユーザは前記文書の内容を知っていると考えられることから、ステップＳ０３１３で、「一部表示」と判断される。ログインしたユーザと文書作成者が一致していなければ（ステップＳ０３１２でＮＯ）、ユーザは前記文書の内容を知らないと考えて、ステップＳ０３１４で、「全部表示」と判断される。そして、判断結果に従って、図３のステップＳ０５またはＳ０６で、文書の一部または全部が操作パネル１７に表示される。
【００５９】
図６は、表示形式判断処理（図３のステップＳ０３）のさらに他の例を示すフローチャートである。この例では、選択された文書が、ログインしたユーザの個人ボックスに保存されているかどうかに応じて、表示形式を判断するものである。
【００６０】
ステップＳ０３２１で、選択された文書が保存されているボックスを確認したのち、ステップＳ０３２２で、そのボックスがログインしたユーザの個人ボックスかどうかを調べる。
【００６１】
ログインしたユーザの個人ボックスであれば（ステップＳ０３２２でＹＥＳ）、ユーザは前記文書の内容を知っていると考えられることから、ステップＳ０３２３で、「一部表示」と判断される。ログインしたユーザの個人ボックスでなければ（ステップＳ０３２２でＮＯ）、ユーザは前記文書の内容を知らないと考えて、ステップＳ０３２４で、「全部表示」と判断される。そして、判断結果に従って、図３のステップＳ０５またはＳ０６で、文書の一部または全部が操作パネル１７に表示される。
【００６２】
図７は、表示形式判断処理（図３のステップＳ０３）のさらに他の例を示すフローチャートである。この例では、選択された文書がＥメール等により、文書を選択したユーザに直接宛てられた外部からの文書、換言すればユーザに「ｔｏ」宛で送信されてきたものであるか、第三者宛の文書の写しとして送信された文書、換言すれば「ｃ．ｃ．」宛で送信されてきたものであるかに応じて、表示形式を判断するものである。
【００６３】
ステップＳ０３３１で、選択された文書がユーザに「ｔｏ」宛で送信されたものであるか、「ｃ．ｃ．」宛で送信されたものであるかを確認したのち、ステップＳ０３３２で、「ｃ．ｃ．」宛かどうかを判断する。
【００６４】
「ｃ．ｃ．」宛であれば（ステップＳ０３３２でＹＥＳ）、その文書の重要度はユーザにとってやや劣ると考えられることから、ステップＳ０３３３で、「一部表示」と判断される。「ｔｏ」宛であれば（ステップＳ０３３２でＮＯ）、その文書はユーザにとって重要と考えられることから、ステップＳ０３３４で、「全部表示」と判断される。そして、判断結果に従って、図３のステップＳ０５またはＳ０６で、文書の一部または全部が操作パネル１７に表示される。
【００６５】
図８は、この発明の他の実施形態を示すものであり、ユーザがユーザ端末２、画像形成装置３、携帯電話４等の外部装置から画像形成装置１にアクセスして、ボックス内の文書を選択した場合に、画像形成装置１が行う動作を示すフローチャートである。この動作は、ＣＰＵ１１がＲＯＭ１２等の記録媒体に記録されたプログラムに従って動作することにより実行される。
【００６６】
ステップＳ１１で、ＣＰＵ１１は、外部装置からアクセスがあったかどうかを判断する。アクセスがなければ（ステップＳ１１でＮＯ）、処理を終了する。外部装置からアクセスがあれば（ステップＳ１１でＹＥＳ）、ユーザの選択指示が受け付けられ、ステップＳ１２でＣＰＵ１１は対応するＰＤＦ文書を選択する。なお、文書はＰＤＦ文書に限定されることはない。
【００６７】
次にステップＳ１３で、送信形式判断処理が行われる。この送信形式判断処理は、選択された文書を簡易モードでアクセス元の外部装置に送信するか詳細モードで送信するかを、外部装置の種類に基づいて判断する処理である。簡易モードでは文書の一部のみが送信され、詳細モードでは文書の全部が送信されるものとなされている。なお、送信形式判断処理の詳細については後述する。
【００６８】
次に、ステップＳ１４では、ステップＳ１３の送信形式判断処理による判断の結果、選択された文書の一部のみを送信するか（簡易モード）、全部を送信するか（詳細モード）を調べる。
【００６９】
一部のみを送信する場合（ステップＳ１４でＹＥＳ）、ステップＳ１５で、文書の一部のみを外部装置に送信する。この実施形態ではＰＤＦ文書の「しおり」部（タイトル）のみを送信するものとなされているが、図形部分であっても良く、タイトルと図形の両方を送信しても良い。
【００７０】
一方、文書の全部を送信する場合（ステップＳ１４でＮＯ）、ステップＳ１６で、文書の全部を先頭から送信する。
【００７１】
図９は、図８のステップＳ１３の送信形式判断処理のサブルーチンを示すフローチャートである。この例では、画像形成装置１へのアクセスがパーソナルコンピュータであるユーザ端末２からなされたものであるかどうかにより、文書の一部のみを表示するか全部を表示するかの判断を行うものとなされている。
【００７２】
ステップＳ１３０１で、ＣＰＵ１１は、画像形成装置１へのアクセスがユーザ端末からなされたものであるかどうかを判断する。ユーザ端末２からのアクセスでなければ（ステップＳ１３０１でＮＯ）、他の画像形成装置３または携帯電話４からのアクセスであり、これらの画像形成装置３または携帯電話４が備えている操作パネルは小さいから表示量が少ない方が望ましく、ステップＳ０３０３で「一部表示」と判断される。ユーザ端末２からのアクセスであれば（ステップＳ１３０１でＹＥＳ）、ユーザ端末２はパーソナルコンピュータであり、大きな表示装置を備えていることが予想され、文書の全文を表示しても問題ないから、ステップＳ１３０３で「全部表示」と判断される。
【００７３】
そして、判断結果に従って、選択された文書の一部のみあるいは全部がアクセスしてきた外部装置に送信される。
【００７４】
図１０は、この発明のさらに他の実施形態を示すものであり、ユーザが所望のボックスを指定すると、そのボックスに保存されている１つまたは複数の文書のそれぞれ一部のみを、予め設定された条件に従って一覧的に出力する場合に、画像形成装置１が行う動作を示すフローチャートである。この動作は、ＣＰＵ１１がＲＯＭ１２等の記録媒体に記録されたプログラムに従って動作することにより実行される。
【００７５】
ユーザが画像処理装置１にログインのための操作を行うと、ステップＳ２１で、ログイン処理が行われる。
【００７６】
ログイン後、ユーザが、操作パネル上の図示しないメニューから「アシスト設定」ボタンを押すと、操作パネル１７の画面は図１１（Ａ）に示すようなアシスト表示設定画面に遷移する。この画面には、アシスト表示設定を行う旨、及び「図形」ボタンまたは「アブストラクト」ボタンを押してほしい旨のメッセージとともに、「図形」ボタン及び「アブストラクト」ボタンが表示されている。
【００７７】
ユーザが「図形」ボタンまたは「アブストラクト」ボタンを押すと、ステップＳ２２でこれが受け付けられたのち、操作パネル１７の画面は図１１（Ｂ）のボックス選択画面に遷移する。
【００７８】
ボックス選択画面では、ボックスの選択及び「アシスト機能」ボタンの押下を促すメッセージとともに、選択可能なボックスの一覧及び「アシスト機能」ボタンが表示されている。なお、図１１（Ｂ）では、ボックスＡが選択されていることを示している。
【００７９】
ユーザがボックスを選択すると、これに基づいてステップＳ２３でＣＰＵ１１が対応するボックスを選択し、ステップＳ２４で「アシスト機能」ボタンが押されたか否かを判断する。
【００８０】
「アシスト機能」ボタンが押されなければ（ステップＳ２４でＮＯ）、押されるまで待つ。押されると（ステップＳ２４でＹＥＳ）、ステップＳ２５で、ステップＳ２２で受け付けたアシスト表示設定が「図形」であるかどうかを判断する。
【００８１】
「図形」であれば（ステップＳ２５でＹＥＳ）、ステップＳ２６で、選択されたボックス内の保存文書（図１２に一例を示す）から図形を抽出する。図１２の場合、文書Ａから画像形成装置を示す図形が、文書Ｂからは携帯電話を示す図形が抽出される。
【００８２】
図形の抽出後、ステップＳ２８で、図１３に示すように抽出した図形を一覧表示する。
【００８３】
一方、ステップＳ２５で、アシスト表示設定が「図形」でなければ（ステップＳ２５でＮＯ）、ステップＳ２７で、選択されたボックス内の保存文書中に存在するアブストラクトを切り出す。アブストラクトの切り出しは、ＰＤＦの「アブストラクト」のとおり部分を抽出する、あるいは画像処理でアブストラクト部分を抽出する、などがある。
【００８４】
ステップＳ２９では、作成されたアブストラクトの一覧を操作パネル１７に表示する。
【００８５】
ユーザは、操作パネル１７に表示された図形またはアブストラクトの一覧を見て、所望の文書を選択したのち、プリント等のジョブを実行すればよい。
【００８６】
このように、この実施形態では、ユーザがボックスを選択すると、選択されたボックスに保存されている全ての文書についてのそれぞれの図形またはアブストラクトが一覧的に表示される。従って、ユーザがアシスト機能を使用してボックスに保存されている文書の中から所望の文書を探す際に、それぞれの文書を逐一選択する手間をなくすことができる。
【００８７】
以上、本発明の一実施形態を説明したが、本発明は上記実施形態に限定されることはない。
【００８８】
例えば、文書の一部または全部を操作パネル１７に表示させる構成としたが、プリンタ部１６によりプリントしても良い。また、文書の一部または全部がテキストデータである場合は、スピーカ等の音声再生装置により音声で出力しても良い。また、文書の一部または全部を外部装置に送信する場合、送信先では受信したデータを表示装置に表示しても良いし、印字しても良いし、音声で出力しても良い。
【００８９】
また、簡易モードが文書の一部のみを表示（出力）し、詳細モードが文書の全部を表示（出力）する構成としたが、簡易モードと詳細モードとの間に、文書の表示（出力）に関して差異が存在する態様であればよい。
【００９０】
また、ログインユーザが画像形成装置１からブラウザによりＵＲＬ（Uniform Resource Locator）を指定して、外部装置等に保存されている文書にアクセスする場合、画像形成装置１のＣＰＵ１１が、ログインユーザの閲覧履歴を確認し、ＵＲＬ先の文書が既読（閲覧履歴有り）の場合は、簡易モードとして閲覧履歴を表示し、未読（閲覧履歴なし）の場合は、詳細モードとして文書の一部を表示する構成としても良い。この場合、ＵＲＬ先の文書が既読であるが更新されている場合は、文書内の更新箇所を表示するのが望ましい。
【図面の簡単な説明】
【００９１】
【図１】この発明の一実施形態に係るデータ処理装置が用いられたネットワークシステムの概略構成図である。
【図２】画像形成装置の概略構成を示すブロック図である。
【図３】ログインしたユーザが記憶部のボックス内にデータとして保存されている複数の文書の中から、いずれかの文書を選択した場合に、画像形成装置が行う動作を示すフローチャートである。
【図４】図３のステップＳ０３の表示形式判断処理のサブルーチンを示すフローチャートである。
【図５】表示形式判断処理の他の例を示すフローチャートである。
【図６】表示形式判断処理のさらに他の例を示すフローチャートである。
【図７】表示形式判断処理のさらに他の例を示すフローチャートである。
【図８】この発明の他の実施形態を示すものであり、ユーザが外部装置から画像形成装置にアクセスして、ボックス内の文書を選択した場合に、画像形成装置が行う動作を示すフローチャートである。
【図９】図８のステップＳ１３の送信形式判断処理のサブルーチンを示すフローチャートである。
【図１０】この発明のさらに他の実施形態を示すものであり、ユーザが所望のボックスを指定すると、そのボックスに保存されている１つまたは複数の文書のそれぞれ一部のみを、予め設定された条件に従って一覧的に出力する場合に、画像形成装置が行う動作を示すフローチャートである。
【図１１】（Ａ）はアシスト表示設定画面を示す図、（Ｂ）はボックス選択画面を示す図である。
【図１２】選択されたボックス内の保存文書の一例を示す図である。
【図１３】抽出した図形が一覧表示された操作パネルの画面を示す図である。
【符号の説明】
【００９２】
１    画像処理装置
１１  ＣＰＵ（選択手段、判断手段、制御手段）
１２  ＲＯＭ
１３  ＲＡＭ
１４  スキャナ部
１５  記憶部
１６  プリンタ部（出力手段）
１７  操作パネル（出力手段）
１８  ネットワークコントローラ
【図１】
0004591553.tif 000002
【図２】
0004591553.tif 000003
【図３】
0004591553.tif 000004
【図４】
0004591553.tif 000005
【図５】
0004591553.tif 000006
【図６】
0004591553.tif 000007
【図７】
0004591553.tif 000008
【図８】
0004591553.tif 000009
【図９】
0004591553.tif 000010
【図１０】
0004591553.tif 000011
【図１１】
0004591553.tif 000012
【図１２】
0004591553.tif 000013
【図１３】
0004591553.tif 000014